(57)【要約】【課題】放熱グリスと防水シール材とを、筐体を加熱することによって熱硬化させることにより塗布作業の向上を図ることができる。【解決手段】ケース２とカバー３が接合されてなる筐体４と、電子部品５が実装され、筐体に収容される回路基板６と、両者２，３の接合部位をシールする防水シール材と、前記電子部品と前記筐体とを熱的に接続する放熱グリス９と、を備えた電子制御装置の製造方法において、前記防水シール材は、熱硬化性の材料が使用され、放熱グリスは、加熱されることによって粘度が増加する特性を有する材料が使用され、前記回路基板と前記放熱グリスが筐体内に収容され、かつ、前記ケースとカバーの接合部位に硬化前の前記防水シール材が配置された状態で前記筐体を加熱する加熱工程を有している。【選択図】図１
2018198335.tif 000002
【特許請求の範囲】
【請求項１】
２つの構成部材が接合されてなる筐体と、
電子部品が実装され、前記筐体に収容される回路基板と、
前記各構成部材の接合部位をシールする防水シール材と、
前記電子部品と前記筐体とを熱的に接続する熱伝導材と、
を備えた電子制御装置の製造方法において、
前記防水シール材は、熱硬化性の材料が使用され、
前記熱伝導材は、加熱されることによって粘度が増加する特性を有する材料が使用され、
前記回路基板と前記熱伝導材が筐体内に収容され、かつ、前記各構成部材の接合部位に硬化前の前記防水シール材が配置された状態で前記筐体を加熱する加熱工程を有し、
前記加熱工程によって、前記防水シール材の硬化と熱伝導材の粘度の増加が行われることを特徴とする電子制御装置の製造方法。
【請求項２】
請求項１に記載の電子制御装置の製造方法において、
前記筐体を加熱する工程の前に、前記筐体と電子部品との間に前記熱伝導材を塗布する工程を有し、この工程では前記熱伝導材の粘度が５０〜４００（Ｐａ・Ｓ）であるが、前記加熱工程により、６００〜３０００（Ｐａ・Ｓ）に粘度が増加することを特徴とする電子制御装置の製造方法。
【発明の詳細な説明】
【技術分野】
【０００１】
本発明は、半導体素子等の電子部品から発生する熱を筐体の外部に放熱する放熱構造を備えたエンジンコントロールユニットや、自動変速機用コントロールユニットなどの車両に搭載される電子制御装置に関するものである。
【背景技術】
【０００２】
エンジンコントロールユニットや自動変速機用コントロールユニットなどの車両に搭載される電子制御装置の筐体内には、演算処理装置や半導体素子等の発熱する電子部品が数多く組み込まれているので筐体の内部温度が上昇しやすい。
【０００３】
そこで、電子部品が発生する熱を装置の筐体に伝達し、筐体の表面から筐体外に放出する放熱構造が開発されている。
【０００４】
図８は、上記放熱構造を示す説明図であり、回路基板１０１に搭載された電子部品１０２と筐体１０３の間には、熱伝導材１０４が介在されていて、電子部品１０２からの発熱は、熱伝導材１０４を介して筐体１０３に伝達され、筐体１０３の表面から筐体外に放熱される。上記熱伝導材として、放熱グリスが使用されている。
【０００５】
上記熱伝導材として接着剤を使用した場合には、接着剤はゴム化して、硬度が上昇して、電子部品をベース部にリジットに結合する。このため、電子部品又は半田部への応力が発生し、電気的な不具合を発生させる恐れがある。
【０００６】
上記接着剤に対して放熱グリスは、塗布後も粘性を保持し、電子部品又は半田部への応力の集中を抑制することができる。（例えば、特許文献１）
【先行技術文献】
【特許文献】
【０００７】
【特許文献１】特開２００６−８６５３６号公報
【発明の概要】
【発明が解決しようとする課題】
【０００８】
しかし、放熱グリスを使用した場合には、次に述べるような課題があった。
（１）放熱グリスは、一般的に熱伝導率を上げるためにアルミナ等の熱伝導材を混入しているので、初期粘度が高く、空気圧等で放熱グリスをノズルから吐出させて塗布する場合には、放熱グリスをノズルから円滑に吐出させるのが困難でノズルの目詰まりが起こり易い。このため、塗布ロボット等を使用しての塗布作業に不向きである。
【０００９】
そこで、放熱グリスの入ったペルー缶（例えば、２０ｋｇ入りの缶）に配管を施してノズルを接続し、缶内の放熱グリスをノズルから吐出させて塗布する方法も採られているが、この場合においても、配管に、細く、長いものを使用しなければならないため空気圧を上げても放熱グリスを吐出させるのが容易でなかった。
【００１０】
また、放熱グリスの入ったカートリッジ（例えば、３３０ｍｌ入り容器）を使用して塗布する場合には、配管を必要としないので、配管を必要とする場合に較べて弱い圧力で放熱グリスを塗布することができるが、カートリッジの内容量が少ないために、放熱グリスを大量使用する場合には、カートリッジを頻繁に交換しなければならず作業能率が悪い。
【００１１】
放熱グリスの塗布性を向上させ、且つ熱変形や振動により型崩れを防止するために、放熱グリスを低粘性層と高粘性層の複層構造とし、低粘性層で塗布性を向上させ、高粘性層で熱変形や振動により型崩れを防止した放熱グリスも開発されているがこれもコストが高くなる。
（２）放熱グリスは、熱変形や振動により型崩れや、電子部品１０２外への流出を起こし易い。型崩れや流出を防止するために、放熱グリス１０４の周囲を、図８に示すように、枠１０５で囲って、電子部品１０２の型崩れや流出を防止することができるが、放熱グリス１０４を枠１０５で囲うと、枠１０５の高さの分だけ、電子部品１０２と筐体１０３のクリアランスＣが拡大し、放熱効果が悪化する。
【００１２】
本発明は、上記従来例の課題を解決し、上記複層構造の放熱グリスに較べて低コストで、塗布性を改善することができ、かつ熱変形や振動により型崩れや流出を抑制することのできる電子制御装置を提供することを目的にして成されたものである。
【課題を解決するための手段】
【００１３】
本発明は、２つの構成部材が接合されてなる筐体と、電子部品が実装され、前記筐体に収容される回路基板と、前記各構成部材の接合部位をシールする防水シール材と、前記電子部品と前記筐体とを熱的に接続する熱伝導材と、を備えた電子制御装置の製造方法において、
前記防水シール材は、熱硬化性の材料が使用され、前記熱伝導材は、加熱されることによって粘度が増加する特性を有する材料が使用され、
前記回路基板と前記熱伝導材が筐体内に収容され、かつ、前記各構成部材の接合部位に硬化前の前記防水シール材が配置された状態で前記筐体を加熱する加熱工程を有し、前記加熱工程によって、前記防水シール材の硬化と熱伝導材の粘度の増加が行われることを特徴としている。
【発明の効果】
【００１４】
前記熱伝導材は、塗布する段階における粘度を、塗布後の粘度よりも低くしたので、その分、塗布作業が容易となり、塗布装置や前記ペルー缶等を使用しての塗布作業が可能になり、塗布作業性を向上させることができる。また、熱伝導材は、塗布後に粘度が増すので、熱変形や振動により型崩れや流出を抑制することができる。
【図面の簡単な説明】
【００１５】
【図１】電子制御装置の分解斜視図。
【図２】第１実施例の要部の断面図。
【図３】付加反応増粘タイプの放熱グリスの硬化特性を示すグラフ図。
【図４】室温湿度増粘タイプの放熱グリスの硬化特性を示すグラフ図。
【図５】第２実施例の要部の断面図。
【図６】第３実施例の要部の断面図。
【図７】第４実施例の要部の断面図。
【図８】従来例の説明図。
【発明を実施するための形態】
【００１６】
以下、本発明の実施形態を図面を参照して説明する。
【００１７】
図１は電子制御装置１としての自動車のエンジンコントロールユニットの分解斜視図である。この電子制御装置１は、車体側に取り付けられる略板状のケース２と略箱状のカバー３とを液密に接合（シール材を介して接合）してなる筐体４と、この筐体４内部の保護空間に収容されて発熱性電子部品や非発熱性電子部品等の各種電子部品５を実装した回路基板６と、により大略構成されており、エンジンルーム（図示省略）等に搭載され、車体側への取付面となるケース２のブラケット７，８の底面において、車体側に取り付けられる。
【００１８】
電子部品５、特に発熱性電子部品とケース２内面の間には、放熱グリス９が介在される。
【００１９】
各構成要素について具体的に説明する。回路基板６は、その上方側面（カバー３側の面）６ａには、コンデンサ，コイル等のような、比較的発熱しない、もしくは例えばヒートシンク等の特段の放熱処置を必要としない非発熱性電子部品（図示省略）が実装され、下方側面（ケース２側の面）には演算処理装置，トランジスタ，ＩＣ等の比較的発熱し易い発熱性電子部品５が実装された、いわゆるプリント配線基板であり、例えばガラスエポキシ樹脂等からなる板材の表裏面あるいはその内部に配線回路パターンが形成され、この配線回路パターンに各種電子部品５が半田等によりそれぞれ電気的に接続されている。
【００２０】
また、回路基板６の周縁側の一部には、外部のコネクタと接続される接続口１０を有するコネクタ１１が取り付けられている。このコネクタ１１は、取付基部１２を介して回路基板６に固定されていている。このコネクタ１１は、接続口１０が、ケース２とカバー３との間に形成される空間である窓部１３を介して外部へと臨むようになっていて、ここにおいて車両側のコネクタと接続される。
【００２１】
ケース２は、アルミニウム等の熱伝導性に優れた金属材料によって略板状、より詳しくは周縁がわずかに立ち上がる浅い箱状に一体形成されたものである。具体的には、ほぼ矩形状の底壁２ａの外周縁（各側辺）に側壁２ｂが立設され、全体が上方へ開口するように構成されている。側壁２ｂの四隅には、カバー３を取付固定するためのカバー固定部１４が形成されていて、該カバー固定部１４にカバー３が取り付けられる。また、回路基板６は、ケース２の底壁２ａの内壁面側の周縁部に立設された基板固定部１５の上端面にネジ止めされる。
【００２２】
図２は、放熱グリス９が、回路基板６の下方側面に搭載された発熱性部品５と、ケース２の底壁２ａとの間に介在されている状態を示す断面図である。放熱グリス９は、発熱性部品５の発熱を、ケース２側に効果的に伝達（伝導）させて、ケース２の外面から放出させる。
【００２３】
放熱グリス９は、塗布時においては塗布性を阻害しない程度の粘度、例えば５０〜４００Pa・ｓ程度の粘度を有し、硬化後は最終的に６００〜３０００Pa・ｓ程度に粘度を増す材質で形成されている。
【００２４】
放熱グリス９の塗布時の粘度は使用目的、筐体形状によって使い分けると良く、粘度が低い（５０Pa・ｓ及びその近辺）ものは、放熱クリアランスの厚みが少ない場合、塗布時に平面的な広がりを要する場合に向き、粘度が高い（〜６００Pa・ｓ及びその近辺）は、放熱クリアランスの厚みが必要で、立体的な厚みを要する場合などに向く。
【００２５】
実際に塗布装置を使用して放熱グリス９を塗布する場合に、グリスは１種類又は数種類に限って塗布することになる場合が多く、その際には通常はグリス種類に応じて個別の塗布装置を準備し、全体の塗布条件に応じて適度な値のものを選択、使用する。
【００２６】
また、硬化後において、粘度が低い（６００Ｐａ・ｓ及びその近辺）のものは、厚みの少ないものや、振動等が少ないという条件で、移動する要因が少ない箇所、部品特性上、押し付けストレスに強いもの等に向き、粘度の高い（〜３０００Pa・ｓ及びその近辺）のものは、厚みが必要な場合や、部品が押し付けストレスに強いものに向く（放熱グリスの選定条件は、同上）。
【００２７】
ここで、ストレスへの耐性の考え方は、
１．ＩＣリードのような応力緩和機構を持たずに基板に直接半田付けされる部品（チップ部品等）は弱く、リードを持って半田付けされるもの（リード部品、ＩＣ等）は弱い傾向にある。
２．素子単独（半田部でなく本体）では、単純な構造のもの（チップの抵抗やコンデンサ等の部品）が強く、構造の複雑なもの（ＩＣなど、モールド樹脂の中にワイヤーボンディングされている部品等）が弱いという傾向がある。（影響度的には１＞２が一般的）
放熱グリス９は、付加反応増粘タイプの熱伝導性シリコングリスと、室温湿気増粘タイプの熱伝導性シリコングリスが知られている。
【００２８】
付加反応増粘タイプの熱伝導性シリコングリスは、硬化炉を使用して増粘させるもので、短時間でグリスの必要特性が得られるが、硬化炉を必要とするために設備投資が必要となる。但し、防水シールが熱硬化樹脂である場合には、シールを硬化させる際の加熱を利用してシリコングリスを硬化させることができる。
【００２９】
また、室温湿気増粘タイプの熱伝導性シリコングリスは、硬化炉を必要としないので設備投資を抑制することができるが、必要とする硬化特性を得るために長時間を必要とする。
【００３０】
表１及び図３に示すように、付加反応増粘タイプの熱伝導性シリコングリスの硬化特性は、塗布直後の０minの段階での粘度は、１００（Pa・ｓ）、２０minでは１６００（Pa・ｓ）、４０minでは２０００（Pa・ｓ）、６０minでは２２００（Pa・ｓ）、９０minでは２２００（Pa・ｓ）であり、６０min経過以後は略同じ粘度に保たれる。
【００３１】
【表１】
2018198335.tif 000003
【００３２】
付加反応増粘タイプの熱伝導性シリコングリスは、量産設備で塗布するには、初期粘度は、図３において丸Ａ１で囲った５０〜４００（Pa・ｓ）程度が望ましい。位置ズレや流出を防止するためには図３において丸Ｂ１で囲った６００〜３０００（Pa・ｓ）程度が望ましい。但し、粘度以外にも色々なパラメータがあり、粘度６００〜３０００（Pa・ｓ）は、硬さ（アスカＣ）にすると、略１０〜２００（アスカＣ）に置き換えられ、モジュラス（Ｇ‘）表示では略５０００〜２０００００ＭＰａに置き換えられる。
【００３３】
また、表２及び図４に示すように、室温湿気増粘タイプの熱伝導性シリコングリスの硬化特性は、表２及び図４に示すように、塗布直後の０hrの段階の粘度は、２００（Pa・ｓ）、２４hrでは５３０（Pa・ｓ）、４８hrでは６８０（Pa・ｓ）、７２hrでは７５０（Pa・ｓ）、９６hrでは８００（Pa・ｓ），１６８hrでは８００（Pa・ｓ）であり、９６hr経過以後は、略同じ粘度に保たれる。
【００３４】
【表２】
2018198335.tif 000004
【００３５】
室温湿気増粘タイプの熱伝導性シリコングリスは、量産設備で塗布するには、初期粘度は、図４において丸Ａ２で囲った５０〜４００（Pa・ｓ）程度が望ましい。位置ズレや流出を防止するためには図３において丸Ｂ２で囲った６００〜３０００（Pa・ｓ）程度が望ましい。上述したように、粘度６００〜３０００（Pa・ｓ）は、硬さ（アスカＣ）にすると、略１０〜２００（アスカＣ）に置き換えられ、モジュラス（Ｇ‘）表示では略５０００〜２０００００ＭＰａに置き換えられる。
【００３６】
付加反応増粘タイプと室温湿気増粘タイプのどちらの熱伝導性シリコングリスを使用するかは、顧客からの要求性能（耐震性、使用温度範囲等）、生産効率等を考慮して選択される。例えば、自動車用電子制御装置出荷直後から高粘性等のグリス特性が要求される場合には、付加反応増粘タイプを使用し、完全に硬化していなくとも耐震性のスペックが満足できるものであれば、室温湿気増粘タイプが使用される。
【００３７】
前記熱伝導性シリコングリス中にシランカップリング剤のような接着助剤（水素結合により被着体と接着するための材料）を混入し、接着基を持たせて、熱伝導性シリコングリスを筐体や発熱部材に接着させることにより、熱変形や振動によるシリコングリスの流出や変形を抑制することができる。なお、水素結合による接着のメカニズムについては公知であるので説明は省略する。
【００３８】
図５〜図７は、図２に示す第１実施例に対して更なる放熱効果の向上を図った第２〜第４実施例を示す。
【００３９】
図５は第２実施例を示す。
【００４０】
この実施例においては、ケース２の底壁の一部を、回路基板６側に向けて突出させ、発熱性電子部品５を囲む凸部１６を形成した。前記凸部１６の高さは、発熱性電子部品５の肉厚に応じて形成されている。
【００４１】
第２実施例においては、凸部１６の存在により電子制御装置の容積を減少させることができる。また、凸部１６の先端面１６aが回路基板６に近づくので回路基板からの熱の放射を受け易くすることができる。更に、発熱性電子部品５を囲む凸部１６によって、放熱グリス９の流出を防止することができる。
【００４２】
図６は第３実施例を示す。
【００４３】
発熱性電子部品５を囲む凸部１６を形成し、凸部１６に隣接する凹部１７内に、発熱性電子部品５とケース２の間を埋めるように放熱グリス９を塗布した場合を示す。このような構成にすることにより発熱性電子部品５の側面からも放熱グリス９によって、発熱性電子部品５の発する熱をケース２側に逃がすことができる。また、凹，凸部１６，１７によりケース２の表面積を増大させるので更なる放熱効果の向上を図ることができる。他の構成は第２実施例の場合と同じであるので重複する説明は省略する。
【００４４】
図７は第４実施例を示す。
【００４５】
この実施例は、筐体４内の温度上昇や内圧の上昇によるケース２の変位量に応じて、回路基板６とケース２の間のクリアランスを狭くすることにより放熱効率のアップを図るとともに、放熱グリス９によっても放熱効率のアップを図ったものである。
【００４６】
なお、上記実施例では、回路基板６の下方側面に演算処理装置，トランジスタ，ＩＣ等の比較的発熱し易い発熱性部品５を取り付け、これら発熱性部品５とケース２の間に放熱グリス９を介在させて、発熱性部品５の熱をケース２側に逃がす構成としたが、これとは逆に、発熱性部品５を回路基板６の上方側面に取り付けて、発熱性部品５とカバー３の間に放熱グリス９を介在させ、発熱性部品５の熱をケース２側に逃がす構成とすることができる。この場合は、ケース２をアルミニウム等の熱伝導性に優れた金属材料で形成する。また、発熱性部品５を回路基板６の上方側面と下方側面に分散して取り付け、ケース２とカバー３の両方から放熱してもよい。
【００４７】
本願の技術的思想に基づく装置としての発明の態様を以下に記載する。
〔請求項イ〕
電子部品を実装する回路基板と、
２つの構成部材が接合されてなる筐体と、
前記筐体の前記２つの構成部材の接合位置に配置され、前記筐体を加熱した熱によって硬化し、前記２つの構成部材の接合位置をシールする防水シール材と、
前記回路基板と前記筐体との間に介在され、前記熱によって粘度が増加すると共に、前記電子部品と前記筐体とを熱的に接続する熱伝導材と、
を備えることを特徴とする電子制御装置。
〔請求項ロ〕
請求項イに記載の電子制御装置において、
前記回路基板が前記筐体に内包されているときに、前記熱伝導材が前記電子部品と前記筐体の内面との間に位置していることを特徴とする電子制御装置。
〔請求項ハ〕
請求項イまたはロに記載の電子制御装置において、
前記熱伝導材は、付加反応増粘タイプの熱伝導性シリコングリスであることを特徴とする電子制御装置。
〔請求項ニ〕
請求項イまたはロに記載の電子制御装置において、
前記熱伝導材は、塗布時においては５０〜４００（Ｐａ・Ｓ）の粘度であり、加熱後の粘度が６００〜３０００（Ｐａ・Ｓ）であることを特徴とする電子制御装置。
【符号の説明】
【００４８】
１…電子制御装置
２…ケース
３…カバー
４…筐体
５…電子部品
６…回路基板
９…放熱グリス
【図１】
2018198335.tif 000005
【図２】
2018198335.tif 000006
【図３】
2018198335.tif 000007
【図４】
2018198335.tif 000008
【図５】
2018198335.tif 000009
【図６】
2018198335.tif 000010
【図７】
2018198335.tif 000011
【図８】
2018198335.tif 000012